【手続補正書】
【提出日】平成17年4月11日(2005.4.11)
【手続補正１】
【補正対象書類名】明細書
【補正対象項目名】特許請求の範囲
【補正方法】変更
【補正の内容】
【特許請求の範囲】
【請求項１】
静電潜像担持体と、
現像剤を収容する現像容器、前記現像容器の開口部に回転自在に設けられ現像剤を担持するローラ状の現像剤担持体、及び前記現像容器内において前記現像剤担持体にカウンター方向に当接して設けられ現像剤担持体上に現像剤の薄層を形成する弾性ブレードを少なくとも有する現像装置と、
現像時には前記現像剤担持体が前記静電潜像担持体に接触する位置に前記現像装置を支持し、非現像時には現像剤担持体が静電潜像担持体から離間する位置に現像装置を支持する現像装置支持手段と、を有する画像形成装置に使用される現像装置において、
現像時における前記現像剤担持体のローラ断面において、現像剤担持体の中心を通る水平線と現像剤担持体の表面とが交わる点のうち、前記水平線よりも下側の現像剤担持体表面が現像時において先に通過する方の点、現像剤担持体の中心、及び弾性ブレードと現像剤担持体との当接部、がなす角度で現像剤担持体の回転方向を正とする角度をθとしたときに、θは前記水平線を０°としたときに−６０°以上９０°以下であり、
前記現像剤は、非磁性及び絶縁性を有し正又は負の極性に帯電するトナー粒子と、前記トナー粒子よりも小さな粒径を有しトナー粒子とは逆極性に帯電する微粒子とを含有する非磁性一成分トナーであることを特徴とする現像装置。
【請求項２】
前記現像剤担持体に接触して回転自在に設けられ、前記現像容器内の現像剤を現像剤担持体に供給し、かつ現像剤担持体上に残存する現像剤を剥ぎ取る供給剥ぎ取りローラを有することを特徴とする請求項１に記載の現像装置。
【請求項３】
前記現像装置支持手段は、回転軸の周囲に前記現像装置を支持する回転自在なロータリードラムであることを特徴とする請求項１又は２に記載の現像装置。
【請求項４】
前記画像形成装置は、前記ロータリードラムが複数の前記現像装置を有し、各現像装置には異なる色の前記現像剤が収容されているフルカラー画像形成装置であることを特徴とする請求項３に記載の現像装置。
【請求項５】
前記θは−６０°以上６０°以下であることを特徴とする請求項１乃至４のいずれか一項に記載の現像装置。
【請求項６】
前記現像剤担持体は、前記当接部における前記弾性ブレードとの線圧が５ｇ／ｃｍ乃至６０ｇ／ｃｍであり、現像剤担持体の表面粗さが２μｍ乃至１５μｍであり、かつ前記静電潜像担持体の周速に対する現像剤担持体の周速の比が１．０乃至２．０であることを特徴とする請求項１乃至５のいずれか一項に記載の現像装置。
【請求項７】
前記微粒子は金属酸化物であることを特徴とする請求項１乃至６のいずれか一項に記載の現像装置。
【請求項８】
前記微粒子は、マグネシウム、アルミニウム、及びチタンの少なくとも一種類以上の金属を含有する酸化物であることを特徴とする請求項１乃至７のいずれか一項に記載の現像装置。
【請求項９】
前記微粒子は樹脂微粒子であることを特徴とする請求項１乃至８のいずれか一項に記載の現像装置。
【請求項１０】
前記現像剤担持体上に担持された非磁性一成分トナーの、単位質量当たりの帯電量の絶対値が、１０乃至８０であることを特徴とする請求項１乃至９のいずれか一項に記載の現像装置。
【請求項１１】
静電潜像担持体と、
現像剤を収容する現像容器、前記現像容器の開口部に回転自在に設けられ現像剤を担持するローラ状の現像剤担持体、及び前記現像剤担持体にカウンター方向に当接して設けられ現像剤担持体上に現像剤の薄層を形成する弾性ブレードを少なくとも有する現像装置と、
現像時には前記現像剤担持体が前記静電潜像担持体に接触する位置に前記現像装置を支持し、非現像時には現像剤担持体が静電潜像担持体から離間する位置に現像装置を支持する現像装置支持手段と、を有する画像形成装置において、
前記現像装置は、現像時における前記現像剤担持体のローラ断面において、現像剤担持体の中心を通る水平線と現像剤担持体の表面とが交わる点のうち、前記水平線よりも下側の現像剤担持体表面が現像時において先に通過する方の点、現像剤担持体の中心、及び弾性ブレードと現像剤担持体との当接部、がなす角度で現像剤担持体の回転方向を正とする角度をθとしたときに、θは前記水平線を０°としたときに−６０°以上９０°以下であり、
前記現像剤は、非磁性及び絶縁性を有し正又は負の極性に帯電するトナー粒子と、前記トナー粒子よりも小さな粒径を有しトナー粒子とは逆極性に帯電する微粒子とを含有する非磁性一成分トナーであることを特徴とする画像形成装置。
【請求項１２】
前記現像装置は、前記現像剤担持体に接触して回転自在に設けられ、前記現像容器内の現像剤を現像剤担持体に供給し、かつ現像剤担持体上に残存する現像剤を剥ぎ取る供給剥ぎ取りローラを有することを特徴とする請求項１１に記載の画像形成装置。
【請求項１３】
前記現像装置支持手段は、回転軸の周囲に前記現像装置を支持する回転自在なロータリードラムであることを特徴とする請求項１１又は１２に記載の画像形成装置。
【請求項１４】
前記ロータリードラムが複数の前記現像装置を有し、各現像装置には異なる色の前記現像剤が収容されているフルカラー画像形成装置であることを特徴とする請求項１３に記載の画像形成装置。
【請求項１５】
前記現像装置によって前記静電潜像担持体に形成されたトナー画像が転写され、かつ複数色のトナー画像が重ねられた状態でトナー画像を転写材に転写する中間転写体を有することを特徴とする請求項１４に記載の画像形成装置。
【請求項１６】
前記θは−６０°以上６０°以下であることを特徴とする請求項１１乃至１５のいずれか一項に記載の画像形成装置。
【請求項１７】
前記現像剤担持体は、前記当接部における前記弾性ブレードとの線圧が５ｇ／ｃｍ乃至６０ｇ／ｃｍであり、現像剤担持体の表面粗さが２μｍ乃至１５μｍであり、かつ前記静電潜像担持体の周速に対する現像剤担持体の周速の比が１．０乃至２．０であることを特徴とする請求項１１乃至１６のいずれか一項に記載の画像形成装置。
【請求項１８】
前記微粒子は金属酸化物であることを特徴とする請求項１１乃至１７のいずれか一項に記載の画像形成装置。
【請求項１９】
前記微粒子は、マグネシウム、アルミニウム、及びチタンの少なくとも一種類以上の金属を含有する酸化物であることを特徴とする請求項１１乃至１８のいずれか一項に記載の画像形成装置。
【請求項２０】
前記微粒子は樹脂微粒子であることを特徴とする請求項１１乃至１９のいずれか一項に記載の画像形成装置。
【請求項２１】
前記現像剤担持体上に担持された非磁性一成分トナーの、単位質量当たりの帯電量の絶対値が、１０乃至８０であることを特徴とする請求項１１乃至２０のいずれか一項に記載の画像形成装置。
【手続補正２】
【補正対象書類名】明細書
【補正対象項目名】００２１
【補正方法】変更
【補正の内容】
【００２１】
すなわち、本発明は、静電潜像担持体と、現像剤を収容する現像容器、現像容器の開口部に回転自在に設けられ現像剤を担持するローラ状の現像剤担持体、及び現像容器内において現像剤担持体にカウンター方向に当接して設けられ現像剤担持体上に現像剤の薄層を形成する弾性ブレードを少なくとも有する現像装置と、現像時には現像剤担持体が静電潜像担持体に接触する位置に現像装置を支持し、非現像時には現像剤担持体が静電潜像担持体から離間する位置に現像装置を支持する現像装置支持手段と、を有する画像形成装置に使用される現像装置において、現像時における現像剤担持体のローラ断面において、現像剤担持体の中心を通る水平線と現像剤担持体の表面とが交わる点のうち、水平線よりも下側の現像剤担持体表面が現像時において先に通過する方の点、現像剤担持体の中心、及び弾性ブレードと現像剤担持体との当接部、がなす角度で現像剤担持体の回転方向を正とする角度をθとしたときに、θは前記水平線を０°としたときに−６０°以上９０°以下であり、現像剤は、非磁性及び絶縁性を有し正又は負の極性に帯電するトナー粒子と、トナー粒子よりも小さな粒径を有しトナー粒子とは逆極性に帯電する微粒子とを含有する非磁性一成分トナーであることを特徴とする。
【手続補正３】
【補正対象書類名】明細書
【補正対象項目名】００２２
【補正方法】変更
【補正の内容】
【００２２】
また、本発明は、静電潜像担持体と、現像剤を収容する現像容器、現像容器の開口部に回転自在に設けられ現像剤を担持するローラ状の現像剤担持体、及び現像剤担持体にカウンター方向に当接して設けられ現像剤担持体上に現像剤の薄層を形成する弾性ブレードを少なくとも有する現像装置と、現像時には現像剤担持体が静電潜像担持体に接触する位置に現像装置を支持し、非現像時には現像剤担持体が静電潜像担持体から離間する位置に現像装置を支持する現像装置支持手段と、を有する画像形成装置において、現像装置は、現像時における現像剤担持体のローラ断面において、現像剤担持体の中心を通る水平線と現像剤担持体の表面とが交わる点のうち、水平線よりも下側の現像剤担持体表面が現像時において先に通過する方の点、現像剤担持体の中心、及び弾性ブレードと現像剤担持体との当接部、がなす角度で現像剤担持体の回転方向を正とする角度をθとしたときに、θは前記水平線を０°としたときに−６０°以上９０°以下であり、現像剤は、非磁性及び絶縁性を有し正又は負の極性に帯電するトナー粒子と、トナー粒子よりも小さな粒径を有しトナー粒子とは逆極性に帯電する微粒子とを含有する非磁性一成分トナーであることを特徴とする。
【手続補正４】
【補正対象書類名】明細書
【補正対象項目名】００２３
【補正方法】変更
【補正の内容】
【００２３】
【発明の実施の形態】
本発明の現像装置は、静電潜像担持体と、現像時には現像剤担持体が静電潜像担持体に接触する位置に現像装置を支持し、非現像時には現像剤担持体が静電潜像担持体から離間する位置に現像装置を支持する現像装置支持手段と、を有する画像形成装置に使用され、現像剤を収容する現像容器、現像容器の開口部に回転自在に設けられ現像剤を担持するローラ状の現像剤担持体、及び現像容器内において現像剤担持体にカウンター方向に当接して設けられ現像剤担持体上に現像剤の薄層を形成する弾性ブレードを少なくとも有し、現像時における現像剤担持体のローラ断面において、現像剤担持体の中心を通る水平線と現像剤担持体の表面とが交わる点のうち、水平線よりも下側の現像剤担持体表面が現像時において先に通過する方の点、現像剤担持体の中心、及び弾性ブレードと現像剤担持体との当接部、がなす角度で現像剤担持体の回転方向を正とする角度をθとしたときに、θは前記水平線を０°としたときに−６０°以上９０°以下である。
【手続補正５】
【補正対象書類名】明細書
【補正対象項目名】００５５
【補正方法】変更
【補正の内容】
【００５５】
また、本実施の形態における現像方法としては、例えば特開２０００−３１５０１４号公報に記載の方法、すなわち感光ドラム１と現像ローラ３との間に直流電圧を印加して、現像ローラ３上の薄層トナーを感光ドラム１上の静電潜像に画像状に転移させる、いわゆる接触ＤＣ現像法を用いるものとする。また、本発明に用いられる現像剤については後に説明するが、トナー７は、例えば非磁性及び絶縁性を有し負極性に帯電するトナー粒子と、トナー粒子よりも小さな粒径を有し正極性に帯電する微粒子とを含有する非磁性一成分トナーとする。
【手続補正６】
【補正対象書類名】明細書
【補正対象項目名】００６６
【補正方法】変更
【補正の内容】
【００６６】
本発明の画像形成装置は、静電潜像担持体と、現像剤を収容する現像容器、現像容器の開口部に回転自在に設けられ現像剤を担持するローラ状の現像剤担持体、及び現像剤担持体にカウンター方向に当接して設けられ現像剤担持体上に現像剤の薄層を形成する弾性ブレードを少なくとも有する現像装置と、現像時には現像剤担持体が静電潜像担持体に接触する位置に現像装置を支持し、非現像時には現像剤担持体が静電潜像担持体から離間する位置に現像装置を支持する現像装置支持手段と、を有する画像形成装置において、現像装置は、現像時における現像剤担持体のローラ断面において、現像剤担持体の中心を通る水平線と現像剤担持体の表面とが交わる点のうち、水平線よりも下側の現像剤担持体表面が現像時において先に通過する方の点、現像剤担持体の中心、及び弾性ブレードと現像剤担持体との当接部、がなす角度で現像剤担持体の回転方向を正とする角度をθとしたときに、θは前記水平線を０°としたときに−６０°以上９０°以下であり、現像剤は、非磁性及び絶縁性を有し正又は負の極性に帯電するトナー粒子と、トナー粒子よりも小さな粒径を有しトナー粒子とは逆極性に帯電する微粒子とを含有する非磁性一成分トナーであることを特徴とする。
【手続補正７】
【補正対象書類名】明細書
【補正対象項目名】００８７
【補正方法】変更
【補正の内容】
【００８７】
感光ドラム１上に形成されたトナー画像は、一次転写電圧（例えば、±０．１〜±５ｋＶ）によって、中間転写ベルト２５に一次転写される。このとき、一次転写部材２６には、感光ドラム１と反対極性のバイアスが印加される。
【手続補正８】
【補正対象書類名】明細書
【補正対象項目名】０１２４
【補正方法】変更
【補正の内容】
【０１２４】
前記ワックスとしては、例えばパラフィンワックス、マイクロクリスタリンワックス、ペトロラタムの如き石油系ワックス及びその誘導体；モンタンワックス及びその誘導体；フィッシャートロプシュ法による炭化水素ワックス及びその誘導体；ポリエチレンに代表されるポリオレフィンワックス及びその誘導体；カルナバワックス、キャンデリラワックスの如き天然ワックス及びそれらの誘導体、高級脂肪族アルコールのアルコールワックス；ステアリン酸、パルミチン酸の如き脂肪酸或いはその化合物；酸アミド及びその誘導体；エステル及びその誘導体；ケトン及びその誘導体；硬化ヒマシ油及びその誘導体；植物ワックス；及び動物ワックスが挙げられる。誘導体は酸化物や、ビニルモノマーとのブロック共重合物、グラフト変性物を含む。
【手続補正９】
【補正対象書類名】明細書
【補正対象項目名】０２４９
【補正方法】変更
【補正の内容】
【０２４９】
【発明の効果】
本発明によれば、静電潜像担持体と、現像剤を収容する現像容器、現像容器の開口部に回転自在に設けられ現像剤を担持するローラ状の現像剤担持体、及び現像容器内において現像剤担持体にカウンター方向に当接して設けられ現像剤担持体上に現像剤の薄層を形成する弾性ブレードを少なくとも有する現像装置と、現像時には現像剤担持体が静電潜像担持体に接触する位置に現像装置を支持し、非現像時には現像剤担持体が静電潜像担持体から離間する位置に現像装置を支持する現像装置支持手段と、を有する画像形成装置に、現像時における前記現像剤担持体のローラ断面において、現像剤担持体の中心を通る水平線と現像剤担持体の表面とが交わる点のうち、水平線よりも下側の現像剤担持体表面が現像時において先に通過する方の点、現像剤担持体の中心、及び弾性ブレードと現像剤担持体との当接部、がなす角度で現像剤担持体の回転方向を正とする角度をθとしたときに、θは前記水平線を０°としたときに−６０°以上９０°以下である現像装置、及び、非磁性及び絶縁性を有し正又は負の極性に帯電するトナー粒子と、トナー粒子よりも小さな粒径を有しトナー粒子とは逆極性に帯電する微粒子とを含有する非磁性一成分トナーを用いることから、非磁性一成分現像剤を用い、ロータリー方式の現像器交換手段を有するフルカラー画像形成装置に搭載することができ、ボタ画像の発生を防止でき、トナーの収容割合を減少させずに小型化することができる現像装置を提供することができる。